(57)【特許請求の範囲】
【請求項１】
印字ベルトと調整ダイヤルを備えた印字ユニットを収納する本体ケースと、この本体ケースを収納し、かつ本体ケースに対して相対回動可能な筒状ホルダを有しており、
前記本体ケースに設けたケース側係合部と筒状ホルダに設けたホルダ側係合部を係合させて筒状ホルダの相対回動を不可とした捺印状態と、
ケース側係合部とホルダ側係合部の係合状態を解除し、前記筒状ホルダを相対回動したうえ前記印字ユニットを前記筒状ホルダから引き出して印字ユニットの日付を変更可能とした日付変更状態の二つの姿勢に変化できる構造となっており、
更に、前記筒状ホルダの一端にはロック解除用の爪片を設けたキャップ状のアタッチメントを着脱自在として、
このアタッチメントを筒状ホルダに装着した場合は、前記爪片によってケース側係合部とホルダ側係合部の係合状態が解除され、前記筒状ホルダが本体ケースに対して相対回動できるようにしたことを特徴とするロック付き日付印。
【請求項２】
ケース側係合部は本体ケースの後端に設けられた軸方向に弾発可能な凸部であり、一方、ホルダ側係合部は筒状ホルダの後端部に設けられた前記凸部が係合可能な貫通孔状の凹部であり、これらの凹凸部の係合によって筒状ホルダの相対回動を不可とするように構成され、
また、筒状ホルダの後端においてアタッチメントが着脱自在となっており、このアタッチメントの下端縁に突設した爪片を前記凹部に嵌挿して前記凸部を押し出すように変形させることで凹凸部の係合状態を解除するように構成されている請求項１に記載のロック付き日付印。
【請求項３】
ケース側係合部は本体ケースの前方部外周壁に設けられた外周方向に向け弾発可能な凸部であり、一方、ホルダ側係合部は筒状ホルダの前方部内周面に設けられた前記凸部が係合可能な凹部であり、これら凹凸部の係合により筒状ホルダの相対回動を不可とするように構成され、
また、筒状ホルダの前端においてアタッチメントが着脱自在となっており、このアタッチメントの下端縁に突設した爪片を前記本体ケース側の凸部が中心に向けて変形するように装着することで凹凸部の係合状態を解除するように構成されている請求項１に記載のロック付き日付印。
【請求項４】
本体ケースの前端には印字ベルトを露出させる第２の窓孔が設けられており、マスター印受けを取り外した場合にも印字ベルトが回動できないように構成されている請求項１〜３のいずれかに記載のロック付き日付印。
【請求項５】
印字ユニットの日付を変更した後は捺印状態とされ、その後アタッチメントが筒状ホルダから離脱されて管理者に保管されることで、第三者が自由に日付の変更を行えないように構成されている請求項１〜４のいずれかに記載のロック付き日付印。
【発明の詳細な説明】
【技術分野】
【０００１】
本発明は、勝手に日付の変更ができないようにロック機構を組み込んだロック付き日付印に関するものである。
【背景技術】
【０００２】
従来から、複数本の印字ベルトを備えた印字ユニットが本体ケース内に収容してある日付印は公知であり、例えば銀行などの金融機関や役所などにおいて広く利用されている。このような日付印の基本的な構造として、印字ベルトと調整ダイヤルを備えた印字ユニットを収納する本体ケースと、この本体ケースを収納する筒状ホルダを有しており、前記筒状ホルダと本体ケースに設けた係合用凹凸部を係合してロック状態とするものが知られている。この場合は、前記筒状ホルダの係合用凹凸部の係合状態を解除したうえ筒状ホルダを軸方向に移動し、前記印字ユニットを露出した状態で印字ユニットの日付を変更する構造となっている。
【０００３】
一方、銀行等では勝手に日付変更して押印することにより、本来の日付とは異なる書類が作成されるのを防止する必要性が指摘されており、印字ユニットの日付を自由に変更できないようにロック機構を組み込んだロック付き日付印が提案されている（例えば、特許文献１や特許文献２を参照）。
【０００４】
しかしながら、特許文献１や特許文献２に記載のロック付き日付印においては、本体ケースの外周にロックリングを支持させるとともに、このロックリングを錠止めするロック構造であり、操作が煩雑であるという問題や、複雑な構造となるうえにデザイン的にも大きな制約を受けるという問題があった。
【先行技術文献】
【特許文献】
【０００５】
【特許文献１】特開２０１１−２５４４０号公報
【特許文献２】特開２０１４−１００９００号公報
【発明の概要】
【発明が解決しようとする課題】
【０００６】
本発明は上記のような問題点を解決して、簡単な構造で操作性にも優れており、しかも勝手な日付の変更を確実に防止することができるロック付き日付印を提供することを目的とするものである。
【課題を解決するための手段】
【０００７】
上記課題を解決するためになされた本発明のロック付き日付印は、印字ベルトと調整ダイヤルを備えた印字ユニットを収納する本体ケースと、この本体ケースを収納し、かつ本体ケースに対して相対回動可能な筒状ホルダを有しており、
前記本体ケースに設けたケース側係合部と筒状ホルダに設けたホルダ側係合部を係合させて筒状ホルダの相対回動を不可とした捺印状態と、
ケース側係合部とホルダ側係合部の係合状態を解除し、前記筒状ホルダを相対回動したうえ前記印字ユニットを前記筒状ホルダから引き出して印字ユニットの日付を変更可能とした日付変更状態の二つの姿勢に変化できる構造となっており、
更に、前記筒状ホルダの一端にはロック解除用の爪片を設けたキャップ状のアタッチメントを着脱自在として、
このアタッチメントを筒状ホルダに装着した場合は、前記爪片によってケース側係合部とホルダ側係合部の係合状態が解除され、前記筒状ホルダが本体ケースに対して相対回動できるようにしたことを特徴とするものである。
【０００８】
好ましい実施形態によれば、前記ケース側係合部は本体ケースの後端に設けられた軸方向に弾発可能な凸部であり、一方、ホルダ側係合部は筒状ホルダの後端部に設けられた前記凸部が係合可能な貫通孔状の凹部であり、これらの凹凸部の係合によって筒状ホルダの相対回動を不可とするように構成され、
また、筒状ホルダの後端においてアタッチメントが着脱自在となっており、このアタッチメントの下端縁に突設した爪片を前記凹部に嵌挿して前記凸部を押し出すように変形させることで凹凸部の係合状態を解除するように構成されているのが好ましい。
【０００９】
その他の好ましい実施形態によれば、ケース側係合部は本体ケースの前方部外周壁に設けられた外周方向に向け弾発可能な凸部であり、一方、ホルダ側係合部は筒状ホルダの前方部内周面に設けられた前記凸部が係合可能な凹部であり、これらの凹凸部の係合により筒状ホルダの相対回動を不可とするように構成され、
また、筒状ホルダの前端においてアタッチメントが着脱自在となっており、このアタッチメントの下端縁に突設した爪片を前記本体ケース側の凸部が中心に向けて変形するように装着することで凹凸部の係合状態を解除するように構成されているものが好ましい。
【００１０】
その他の好ましい実施形態によれば、本体ケースの前端には印字ベルトを露出させる第２の窓孔が設けられており、マスター印受けを取り外した場合にも印字ベルトが回動できないように構成されているものが好ましい。
【００１１】
更に好ましい実施形態によれば、印字ユニットの日付を変更した後は捺印状態とされ、その後アタッチメントが筒状ホルダから離脱されて管理者に保管されることで、第三者が自由に日付の変更を行えないように構成されているものが好ましい。
【発明の効果】
【００１２】
本発明のロック付き日付印は、印字ベルトと調整ダイヤルを備えた印字ユニットを収納する本体ケースと、この本体ケースを収納し、かつ本体ケースに対して相対回動可能な筒状ホルダを有しており、前記本体ケースに設けたケース側係合部と筒状ホルダに設けたホルダ側係合部を係合させて筒状ホルダの相対回動を不可とした捺印状態と、ケース側係合部とホルダ側係合部の係合状態を解除し、前記筒状ホルダを相対回動したうえ前記印字ユニットを前記筒状ホルダから引き出して印字ユニットの日付を変更可能とした日付変更状態の二つの姿勢に変化できる構造となっており、更に、前記筒状ホルダの一端にはロック解除用の爪片を設けたキャップ状のアタッチメントを着脱自在として、このアタッチメントを筒状ホルダに装着した場合は、前記爪片によってケース側係合部とホルダ側係合部の係合状態が解除され、前記筒状ホルダが本体ケースに対して相対回動できるようにしたので、捺印状態では筒状ホルダの相対回動が不可能な状態にあり何人も勝手に印字ユニットの日付の変更は行えず、不正な日付変更を確実に防止することができる。一方、日付変更が必要な場合は、アタッチメントの装着と筒状ホルダの回動のみの簡単な操作により日付変更状態を作り出すことができる。
【００１３】
また、前記ケース側係合部は本体ケースの後端に設けられた軸方向に弾発可能な凸部であり、一方、ホルダ側係合部は筒状ホルダの後端部に設けられた前記凸部が係合可能な貫通孔状の凹部であり、これらの凹凸部の係合によって筒状ホルダの相対回動を不可とするように構成され、また、筒状ホルダの後端においてアタッチメントが着脱自在となっており、このアタッチメントの下端縁に突設した爪片を前記凹部に嵌挿して前記凸部を押し出すように変形させることで凹凸部の係合状態を解除するように構成すれば、簡単な構造で、かつ操作性にも優れたロック付き日付印を提供することができ、またデザイン上の制約も小さくすることができる。
【００１４】
また、前記ケース側係合部は本体ケースの前方部外周壁に設けられた外周方向に向け弾発可能な凸部であり、一方、ホルダ側係合部は筒状ホルダの前方部内周面に設けられた前記凸部が係合可能な凹部であり、これらの凹凸部の係合により筒状ホルダの相対回動を不可とするように構成され、また、筒状ホルダの前端においてアタッチメントが着脱自在となっており、このアタッチメントの下端縁に突設した爪片を前記本体ケース側の凸部が中心に向けて変形するように装着することで凹凸部の係合状態を解除するように構成すれば、前記の場合と同様に、簡単な構造で、かつ操作性にも優れたロック付き日付印を提供することができ、またデザイン上の制約も小さくすることができる。
【００１５】
また、前記本体ケースの前端には印字ベルトを露出させる第２の窓孔が設けられており、マスター印受けを取り外した場合にも印字ベルトが回動できないように構成すれば、意図的にマスター印受けを取り外して無理やり日付の変更をしようとしても、印字ベルトの回動が不可能なため、日付変更行為を防ぐことができる。
【００１６】
更に、印字ユニットの日付を変更した後は捺印状態とされ、その後アタッチメントが筒状ホルダから離脱されて管理者に保管されることで、第三者が自由に日付の変更を行えないように構成されているものとすれば、アタッチメントの管理のみで不正な日付変更行為を確実に防止することができる。
【図面の簡単な説明】
【００１７】
【図１】（ａ）は本発明の第１の実施の形態を示す平面図、（ｂ）は正面図、（ｃ）は底面図である。
【図２】図１のＡ−Ａ断面図である。
【図３】図１のＢ−Ｂ断面図である。
【図４】（ａ）は第１の実施の形態の本体ケースを示す平面図、（ｂ）は正面図、（ｃ）は底面図である。
【図５】図４のＣ−Ｃ断面図である。
【図６】（ａ）は第１の実施の形態の本体受け部材を示す平面図、（ｂ）は正面図である。
【図７】図６のＤ−Ｄ断面図である。
【図８】（ａ）は第１の実施の形態の筒状ホルダを示す平面図、（ｂ）は正面図である。
【図９】図８のＥ−Ｅ断面図である。
【図１０】（ａ）は第１の実施の形態のアタッチメントを示す平面図、（ｂ）は正面図、（ｃ）は底面図である。
【図１１】図１０のＦ−Ｆ断面図である。
【図１２】第１の実施の形態のケース側係合部とホルダ側係合部の係合を解除する工程の説明図である。
【図１３】（ａ）は本発明の第２の実施の形態を示す平面図、（ｂ）は正面図、（ｃ）は底面図である。
【図１４】図１３のＧ−Ｇ断面図である。
【図１５】図１３のＨ−Ｈ断面図である。
【図１６】（ａ）は第２の実施の形態の本体ケースを示す平面図、（ｂ）は正面図、（ｃ）は底面図である。
【図１７】図１６のＩ−Ｉ断面図である。
【図１８】（ａ）は第２の実施の形態の筒状ホルダを示す平面図、（ｂ）は正面図、（ｃ）は底面図である。
【図１９】図１８のＪ−Ｊ断面図である。
【図２０】（ａ）は第２の実施の形態のアタッチメントを示す平面図、（ｂ）は正面図、（ｃ）は底面図である。
【図２１】図２０のＫ−Ｋ断面図である。
【図２２】第２の実施の形態のケース側係合部とホルダ側係合部の係合を解除する工程の説明図である。
【発明を実施するための形態】
【００１８】
以下に、図面を参照しつつ本発明の好ましい実施の形態を示す。
図１〜１２は本発明の第１の実施の形態を示し、図１３〜２２は本発明の第２の実施の形態を示すものである。以下、第１の実施の形態と第２の実施の形態において共通の部品については同じ番号を使用するものとする。また、以下の説明において日付印の前方向とは筒状印本体の両端部のうち印面を有する側の方向を意味し、後方向とは前記前方向と逆の方向を意味するものである。
【００１９】
（第１の実施の形態）
図１は本発明の第１の実施の形態を示す平面図、正面図、底面図であり、図２はＡ−Ａ断面図、図３はＢ−Ｂ断面図である。図１〜図３に示すように、本発明のロック付き日付印は、複数個の印字ベルト２ａと調整ダイヤル２ｂを備えた印字ユニット２を収納する本体ケース１と、この本体ケース１を収納し、かつ本体ケース１に対して相対回動可能な筒状ホルダ３を有している。４は印面であるが、実際の商品では印面４には保護キャップ（図示せず）が被せてある。  なお図において、５は印字ユニット２の印面高さを調整する調整ネジ、６は印字ベルト２ａにインキを供給するためのインキ吸蔵体である。
【００２０】
また、前記印字ユニット２は公知の構造のものが用いられ、本体ケース１内に収納されている。この本体ケース１は、図２と図４に示すように、前端に第２の窓孔１ａが形成されており、ここから印字ベルト２ａが露出するように構成されている。この第２の窓孔１ａの機能については後述する。また、壁面には複数のスリット１ｂが設けられて、このスリット１ｂから調整ダイヤル２ｂが露出しており、ケース外部から調整ダイヤル２ｂの操作が行えるようになっている。
【００２１】
前記本体ケース１にはケース側係合部７が設けられており、また筒状ホルダ３にはホルダ側係合部８が設けられていて、これらの係合部７、８を係合させて本体ケース１に対する筒状ホルダ３の相対回動を不可とする捺印状態を構成している。
一方、ケース側係合部７とホルダ側係合部８の係合状態を解除し、前記筒状ホルダ３を相対回動したうえ前記印字ユニット２を記筒状ホルダ３から引き出して印字ユニット２の日付を変更可能とする日付変更状態を構成することができ、前記二つの姿勢に変化できる構造となっている。
【００２２】
更に、前記筒状ホルダ３の一端にはロック解除用の爪片１２ａを設けたキャップ状のアタッチメント１２が着脱自在に取り付けられており、このアタッチメント１２を筒状ホルダ３に装着した場合は、前記爪片１２ａによってケース側係合部７とホルダ側係合部８の係合状態が解除され、前記筒状ホルダ３が本体ケース１に対して相対回動できるように構成されている。なお、この点については後述する。
【００２３】
前記本体ケース１の後端には、図６〜図７に示すような本体受け９が取り付けてあり、この本体受け９にケース側係合部７が設けられている。
第１の実施の形態においては、前記ケース側係合部７は本体ケース１の後端に設けられた軸方向に弾発可能な凸部１０となっている。即ち、本体ケース１の後端にはＬ字状の板片１０ａが突設され、この板片１０ａの先端に凸部１０が形成されていて、凸部１０が軸方向に弾発可能な構造となっている。
一方、図８〜図９に示すように、ホルダ側係合部８は筒状ホルダ３の後端部に設けられた前記凸部１０が係合可能な貫通孔状の凹部１１であり、これらの凹凸部の係合によって筒状ホルダ３の相対回動を不可とするように構成されている。なお図示のものでは、凹部１１は前記凸部１０に対応した数、および位置に３個設けられているが、凹凸部を任意の数に設計変更できることは勿論である。
【００２４】
また、筒状ホルダ３の後端においてアタッチメント１２が着脱自在となっている。図１０〜図１１に示すように、このアタッチメント１２はキャップ状のものであり、下端縁には３個の爪片１２ａが突設されている。爪片１２ａの数、および位置は前記凹部１１に対応しており、凹部１１内に嵌挿してホルダ側係合部である前記凸部１０を押し出すように変形させることで凹凸部の係合状態を解除するように構成されている。
【００２５】
図１２は、ケース側係合部７とホルダ側係合部８の係合を解除する工程の説明図である。
上図に示すように、捺印状態においては凸部１０が凹部１１に係合しており本体ケース１に対する筒状ホルダ３の相対回動は不可とされている。次いで中図に示すように、アタッチメント１２の爪片１２ａを凹部１１内に嵌挿すると板片１０ａが撓んで凸部１０が凹部１１から押し出され、凹凸部の係合状態が解除されることとなる。次いで下図に示すように、アタッチメント１２を回動させると、筒状ホルダ３が本体ケース１に対して相対回動できることとなる。
この結果、印字ユニット２を前記筒状ホルダ３から引き出して印字ユニット２の日付が変更可能な日付変更状態の姿勢に変化させることができる。
【００２６】
また、前記本体ケース１の前端には印字ベルトを露出させる第２の窓孔１ａが設けられており、マスター印受け１７を取り外した場合にも印字ベルト２ａが回動できないように構成されている。
一般的には、マスター印受け１７に第１の窓孔１７ａが設けられていて、ここから印字ベルト２ａの特定の数字等が露出した状態となっており、前記第１の窓孔１７ａに規制されて印字ベルト２ａの回動はできない状態にある。しかし、無理やりマスター印受け１７を外せば窓孔の規制がなくなって手動で印字ベルト２ａを回動することが可能となり、日付の変更を行うことができる。これに対して、第２の窓孔１ａを設けた場合は、マスター印受け１７を取り外した場合にも第２の窓孔１ａに規制されて印字ベルト２ａの回動ができない状態を保持することになるので、より高度に不正な日付変更を防止できることとなる。
【００２７】
また本発明によれば、印字ユニット２の日付を変更した後は捺印状態とされ、その後アタッチメント１２が筒状ホルダ３から離脱されて管理者に保管されることで、第三者が自由に日付の変更を行えないように構成されている。この結果、アタッチメント１２の管理のみで不正な日付変更行為を確実に防止することができることとなる。
なお、アタッチメント１２を離脱した後は、アタッチメント１２に替えて装飾用のキャップ（図示せず）を被せておけば外観的にも問題はない。
【００２８】
（第２の実施の形態）
次に、第２の実施の形態について説明する。
図１３は本発明の第２の実施の形態を示す平面図、正面図、底面図であり、図１４はＧ−Ｇ断面図、図１５はＨ−Ｈ断面図である。第２の実施の形態の基本的な構造は第１の実施の形態と同じであり、共通の部品については同じ番号を使用する。図１６〜図１７は本体ケース１を示し、図１８〜図１９は筒状ホルダ３を示し、図２０〜図２１はアタッチメント１２を示している。
【００２９】
前記本体ケース１に設けられたケース側係合部７と筒状ホルダ３に設けられたホルダ側係合部８を係合させて、本体ケース１に対する筒状ホルダ３の相対回動を不可とする捺印状態を構成している点は第１の実施の形態と同じである。
また、前記筒状ホルダ３の一端にはロック解除用の爪片１２ａを設けたキャップ状のアタッチメント１２が着脱自在に取り付けられており、このアタッチメント１２を筒状ホルダ３に装着した場合は、前記爪片１２ａによってケース側係合部７とホルダ側係合部８の係合状態が解除され、前記筒状ホルダ３が本体ケース１に対して相対回動できるように構成されている点も第１の実施の形態と同じである。
なお、第２の実施の形態では、アタッチメント１２は筒状ホルダ３の前端に装着されるため、後端にはデザインキャップ１２ｂが被せてある。
【００３０】
第２の実施の形態においては、図１６〜図１７に示すように、前記ケース側係合部７は本体ケース１の前方部外周壁に設けられた外周方向に向け弾発可能な凸部１４となっている。この凸部１４は、三方を切り欠かれた板片１４ａの先端部に形成されており、常時は外周方向に向け弾発した状態となっている。
一方、図１９に示すように、ホルダ側係合部８は筒状ホルダ３の前方部内周面に設けられた前記凸部１４と係合可能な凹部１５となっている。そして、これらの凹凸部１４、１５の係合により筒状ホルダ３の相対回動を不可とするように構成されている。なお、筒状ホルダ３の前端内周面にはガイド溝１６が設けられている。
【００３１】
また、筒状ホルダの前端においてアタッチメント１２が着脱自在となっており、このアタッチメント１２の端縁に突設した爪片１２ａを前記本体ケース側の凸部１４が中心に向けて変形するように装着することで凹凸部１４、１５の係合状態を解除するように構成されている。
【００３２】
図２２は、ケース側係合部７とホルダ側係合部８の係合を解除する工程の説明図である。
上図に示すように、捺印状態においては凸部１４が凹部１５に係合しており本体ケース１に対する筒状ホルダ３の相対回動は不可とされている。次いで中図に示すように、アタッチメント１２の爪片１２ａを本体ケース１と筒状ホルダ３の間に嵌挿すると、板片１４ａが中心方向へ撓んで凸部１４が中心方向へ押し下げられ、凹凸部１４、１５の係合状態が解除されることとなる。次いで下図に示すように、アタッチメント１２を回動させると、筒状ホルダ３が本体ケース１に対して相対回動できることとなる。この結果、印字ユニット２を記筒状ホルダ３から引き出して印字ユニット２の日付が変更可能な日付変更状態の姿勢に変化させることができる。
なお、以上の説明は本体ケース側に凸部を設け筒状ホルダ側に凹部を設けた場合について行ったが、本体ケース側に凹部を設け筒状ホルダ側に凸部を設けてもよいことは勿論である。
【００３３】
また、前記本体ケース１の前端には印字ベルトを露出させる第２の窓孔１ａが設けられており、マスター印受け１７を取り外した場合にも印字ベルト２ａが回動できないように構成されており、より高度に不正な日付変更を防止できることは第２の実施の形態と同じである。
更に、印字ユニット２の日付を変更した後は捺印状態とされ、その後アタッチメント１２が筒状ホルダ３から離脱されて管理者に保管されることで、第三者が自由に日付の変更を行えないように構成されている。この結果、アタッチメント１２の管理のみで不正な日付変更行為を確実に防止することができる点は第２の実施の形態と同じである。
なお、アタッチメント１２を離脱した後は、アタッチメント１２に替えて装飾用のキャップ（図示せず）を被せておけば外観的にも問題はない。
また、第２の実施の形態では筒状ホルダの相対回動を不可とする機構を本体ケースの前端に設けたものとしているが、本体ケースの後端に設けることもできる。
【符号の説明】
【００３４】
１  本体ケース
１ａ  第２の窓孔
１ｂ  スリット
２  印字ユニット
２ａ  印字ベルト
２ｂ  調整ダイヤル
３  筒状ホルダ
４  印面
５  調整ネジ
６  インキ吸蔵体
７  ケース側係合部
８  ホルダ側係合部
９  本体受け
１０  凸部
10ａ  板片
１１  凹部
１２  アタッチメント
12ａ  爪片
12ｂ  デザインキャップ
１４  凸部
14ａ  板片
１５  凹部
１６  ガイド溝
１７  マスター印受け
17ａ  第１の窓孔
【図１】
0006481478.tif 000002
【図２】
0006481478.tif 000003
【図３】
0006481478.tif 000004
【図４】
0006481478.tif 000005
【図５】
0006481478.tif 000006
【図６】
0006481478.tif 000007
【図７】
0006481478.tif 000008
【図８】
0006481478.tif 000009
【図９】
0006481478.tif 000010
【図１０】
0006481478.tif 000011
【図１１】
0006481478.tif 000012
【図１２】
0006481478.tif 000013
【図１３】
0006481478.tif 000014
【図１４】
0006481478.tif 000015
【図１５】
0006481478.tif 000016
【図１６】
0006481478.tif 000017
【図１７】
0006481478.tif 000018
【図１８】
0006481478.tif 000019
【図１９】
0006481478.tif 000020
【図２０】
0006481478.tif 000021
【図２１】
0006481478.tif 000022
【図２２】
0006481478.tif 000023